(57)【要約】  【課題】  画像出力装置により出力される出力画像の色味をほぼ均一にすることができる画像処理システムを提供する。  【解決手段】  画像処理システム１は、クライアントＰＣ４及びプリンタ装置１０を含み、クライアントＰＣ４にインストールされた画像処理プログラム５は、入力された元画像データをＬａｂ色空間の画像データに変換し色域圧縮処理を施してＬａｂ画像を生成する。また、画像処理プログラム５は、生成されたＬａｂ画像に基づいて墨版データを生成する。生成されたＬａｂ画像及び墨版データは、元画像データに添付されてプリンタ装置１０に転送され、プリンタ装置１０は、このＬａｂ画像及び墨版データを用いて、画像を印刷する。【選択図】図４
2006094294.tif 000002
【特許請求の範囲】
【請求項１】
入力された画像データに基づいて、装置に依存しない色空間の画像データを生成する非依存データ生成手段と、
前記非依存データ生成手段により生成された画像データを、既定の色域内に収まるように補正する補正手段と、
前記補正手段により補正された画像データを、入力された画像データに添付して送信する送信手段
を有する画像処理装置。
【請求項２】
前記補正手段は、画像データを形成する画像形成装置で再現できる色域に応じて、前記色変換手段により変換された画像データに対して色域圧縮処理を施し、
前記送信手段は、この画像形成装置に、色域圧縮処理が施された画像データと、入力された画像データとを送信する
請求項１に記載の画像処理装置。
【請求項３】
入力された画像データに基づいて、この画像データの黒色成分を規定する墨版データを生成する墨版データ生成手段
をさらに有する請求項１に記載の画像処理装置。
【請求項４】
入力された画像データと、前記補正手段により補正された画像データとを比較可能な態様で表示する画像表示手段
をさらに有する請求項１に記載の画像処理装置。
【請求項５】
入力された画像データに基づいて、この画像データの黒色成分を規定する墨版データを生成する墨版データ生成手段と、
前記墨版データ生成手段により生成された墨版データを、入力された画像データに添付して送信する送信手段と
を有する画像処理装置。
【請求項６】
装置に依存しない色空間の画像データと、この画像データの黒色成分を規定する墨版データとが含まれたデータファイルを取得するデータ取得手段と、
前記データ取得手段により取得された画像データに基づいて、出力色空間の画像データを生成する出力データ生成手段と、
前記データ取得手段により取得された墨版データに基づいて、黒色成分の画像データを生成する墨版生成手段と、
前記出力データ生成手段により生成された画像データと、前記墨生成手段により生成された黒色成分の画像データとに基づいて、出力画像を記録媒体に形成する像形成手段と
を有する画像形成装置。
【請求項７】
装置に依存しない色空間の画像データと、
この画像データの黒色成分を規定する墨版データと
を有するデータファイル。
【請求項８】
前記画像データは、出力装置の色域に応じて色域圧縮処理が施されたデータである
請求項７に記載のデータファイル。
【請求項９】
入力された画像データに基づいて、装置に依存しない色空間の画像データを生成し、
この装置に依存しない色空間の画像データを、既定の色域内に収まるように補正し、
補正された画像データを、入力された画像データに添付して出力する
画像処理方法。
【請求項１０】
コンピュータを含む画像処理装置において、
入力された画像データに基づいて、装置に依存しない色空間の画像データを生成するステップと、
この装置に依存しない色空間の画像データに基づいて、既定の色域内の画像データを生成するステップと、
この色域内の画像データを、入力された画像データに添付して出力するステップと
を前記画像処理装置のコンピュータに実行させるプログラム。
【発明の詳細な説明】
【技術分野】
【０００１】
本発明は、画像出力装置に対応した画像データのデータファイルを作成する画像処理装置に関する。
【背景技術】
【０００２】
例えば、特許文献１は、ＲＧＢ表色系の特定デバイス空間のデバイスデータをｓＲＧＢ空間のデバイスデータに変換し、このｓＲＧＢ空間のデバイスデータを、予め求めた標準色空間のデバイスデータ間の対応関係を用いてｓＣＭＹＫ空間のデバイスデータに変換し、このｓＣＭＹＫ空間のデバイスデータをＣＭＹＫ表色系の特定デバイス空間のデバイスデータに変換する色変換方法を開示する。
また、特許文献２は、カラー画像出力装置の色再現範囲Ａを包括する仮想の色再現範囲Ｂを参照して入力色データの色圧縮を行う色変換装置を開示する。
【特許文献１】特開２０００−５００９２号公報
【特許文献２】特開２００２−２５２７８５号公報
【発明の開示】
【発明が解決しようとする課題】
【０００３】
本発明は、上述した背景からなされたものであり、画像出力装置に対応した画像データを作成することができる画像処理装置を提供することを目的とする。
【課題を解決するための手段】
【０００４】
［画像処理装置］
上記目的を達成するために、本発明にかかる画像処理装置は、入力された画像データに基づいて、装置に依存しない色空間の画像データを生成する非依存データ生成手段と、前記非依存データ生成手段により生成された画像データを、既定の色域内に収まるように補正する補正手段と、前記補正手段により補正された画像データを、入力された画像データに添付して送信する送信手段を有する。
【０００５】
好適には、前記補正手段は、画像データを形成する画像形成装置で再現できる色域に応じて、前記色変換手段により変換された画像データに対して色域圧縮処理を施し、前記送信手段は、この画像形成装置に、色域圧縮処理が施された画像データと、入力された画像データとを送信する。
【０００６】
好適には、入力された画像データに基づいて、この画像データの黒色成分を規定する墨版データを生成する墨版データ生成手段をさらに有する。
【０００７】
好適には、入力された画像データと、前記補正手段により補正された画像データとを比較可能な態様で表示する画像表示手段をさらに有する。
【０００８】
また、本発明にかかる画像処理装置は、入力された画像データに基づいて、この画像データの黒色成分を規定する墨版データを生成する墨版データ生成手段と、前記墨版データ生成手段により生成された墨版データを、入力された画像データに添付して送信する送信手段とを有する。
【０００９】
［画像形成装置］
また、本発明にかかる画像形成装置は、装置に依存しない色空間の画像データと、この画像データの黒色成分を規定する墨版データとが含まれたデータファイルを取得するデータ取得手段と、前記データ取得手段により取得された画像データに基づいて、出力色空間の画像データを生成する出力データ生成手段と、前記データ取得手段により取得された墨版データに基づいて、黒色成分の画像データを生成する墨版生成手段と、前記出力データ生成手段により生成された画像データと、前記墨生成手段により生成された黒色成分の画像データとに基づいて、出力画像を記録媒体に形成する像形成手段とを有する。
【００１０】
［データファイル］
また、本発明にかかるデータファイルは、装置に依存しない色空間の画像データと、この画像データの黒色成分を規定する墨版データとを有する。
【００１１】
好適には、前記画像データは、出力装置の色域に応じて色域圧縮処理が施されたデータである。
【００１２】
［画像処理方法］
また、本発明にかかる画像処理方法は、入力された画像データに基づいて、装置に依存しない色空間の画像データを生成し、この装置に依存しない色空間の画像データを、既定の色域内に収まるように補正し、補正された画像データを、入力された画像データに添付して出力する。
【００１３】
［プログラム］
また、本発明にかかるプログラムは、コンピュータを含む画像処理装置において、入力された画像データに基づいて、装置に依存しない色空間の画像データを生成するステップと、この装置に依存しない色空間の画像データに基づいて、既定の色域内の画像データを生成するステップと、この色域内の画像データを、入力された画像データに添付して出力するステップとを前記画像処理装置のコンピュータに実行させる。
【発明の効果】
【００１４】
本発明の画像処理装置によれば、画像出力装置により出力される出力画像の色味をほぼ均一にすることができる。
【発明を実施するための最良の形態】
【００１５】
［システム構成］
まず、本発明が適用される画像処理システム１の全体構成を説明する。
図１は、画像処理システム１の全体構成を例示する図である。
図１に例示するように、画像処理システム１は、プリンタ装置１０及びクライアントＰＣ４を有する。プリンタ装置１０及び複数のクライアントＰＣ４は、ＬＡＮ又はＷＡＮなどで構成されたネットワークを介して互いに接続している。
クライアントＰＣ４は、ユーザが画像処理などに用いる汎用コンピュータである。
【００１６】
［プリンタ装置］
次に、本発明が適用されるプリンタ装置１０について説明する。
図２は、タンデム型のプリンタ装置１０の構成を示す図である。
図２に示すように、プリンタ装置１０は、画像読取ユニット１２、画像形成ユニット１４、中間転写ベルト１６、用紙トレイ１７、用紙搬送路１８、定着器１９及び画像処理装置２０を有する。このプリンタ装置１０は、クライアントＰＣ４（図１）からクライアントＰＣ４を介して受信した画像データを印刷するプリンタ機能に加えて、画像読取装置１２を用いたフルカラー複写機としての機能、及び、ファクシミリとしての機能を兼ね備えた複合機であってもよい。
【００１７】
まず、プリンタ装置１０の概略を説明すると、プリンタ装置１０の上部には、画像読取装置１２及び画像処理装置２０が配設され、画像データの入力手段として機能する。画像読取装置１２は、原稿に表示された画像を読み取って、画像処理装置２０に対して出力する。画像処理装置２０は、画像読取装置１２から入力された画像データ、又は、ＬＡＮなどのネットワーク（図１）を介してクライアントＰＣ４等から入力された画像データに対して、色変換、階調補正及び解像度補正などの画像処理を施し、画像形成ユニット１４に対して出力する。
画像読取装置１２の下方には、カラー画像を構成する色に対応して、複数の画像形成ユニット１４が配設されている。本例では、黒（Ｋ）、イエロー（Ｙ）、マゼンタ（Ｍ）、シアン（Ｃ）の各色に対応して第１の画像形成ユニット１４Ｋ、第２の画像形成ユニット１４Ｙ、第３の画像形成ユニット１４Ｍ及び第４の画像形成ユニット１４Ｃが、中間転写ベルト１６に沿って一定の間隔を空けて水平に配列されている。中間転写ベルト１６は、中間転写体として図中矢印Ａの方向に回動し、これら４つの画像形成ユニット１４Ｋ、１４Ｙ、１４Ｍ、１４Ｃは、画像処理装置２０から入力された画像データに基づいて各色のトナー像を順次形成し、これら複数のトナー像が互いに重ね合わせられるタイミングで中間転写ベルト１６に転写（一次転写）する。なお、各画像形成ユニット１４Ｋ、１４Ｙ、１４Ｍ、１４Ｃの色の順序は、黒（Ｋ）、イエロー（Ｙ）、マゼンタ（Ｍ）、シアン（Ｃ）の順に限定されるものではなく、イエロー（Ｙ）、マゼンタ（Ｍ）、シアン（Ｃ）、黒（Ｋ）の順序など、その順序は任意である。
【００１８】
用紙搬送路１８は、中間転写ベルト１６の下方に配設されている。用紙トレイ１７から供給された記録用紙３２は、この用紙搬送路１８上を搬送され、上記中間転写ベルト１６上に多重に転写された各色のトナー像が一括して転写（二次転写）され、転写されたトナー像が定着器１９によって定着され、矢印Ｂに沿って外部に排出される。
【００１９】
次に、プリンタ装置１０の各構成についてより詳細に説明する。
図２に示すように、画像読取ユニット１２は、原稿を載せるプラテンガラス１２４と、この原稿をプラテンガラス１２４上に押圧するプラテンカバー１２２と、プラテンガラス１２４上に載置された原稿の画像を読み取る画像読取装置１３０とを有する。この画像読取装置１３０は、プラテンガラス１２４上に載置された原稿を光源１３２によって照明し、原稿からの反射光像を、フルレートミラー１３４、第１のハーフレートミラー１３５、第２のハーフレートミラー１３６及び結像レンズ１３７からなる縮小光学系を介して、ＣＣＤ等からなる画像読取素子１３８上に走査露光して、この画像読取素子１３８によって原稿３０の色材反射光像を所定のドット密度（例えば、１６ドット／ｍｍ）で読み取るように構成されている。
【００２０】
画像処理装置２０は、画像読取ユニット１２により読み取られた画像データに対して、シェーディング補正、原稿の位置ズレ補正、明度／色空間変換、ガンマ補正、枠消し、色／移動編集等の所定の画像処理を施す。なお、画像読取ユニット１２により読み取られた原稿の色材反射光像は、例えば、赤（Ｒ）、緑（Ｇ）、青（Ｂ）（各８ｂｉｔ）の３色の原稿反射率データであり、画像処理装置２０による画像処理によって、イエロー（Ｙ）、マゼンタ（Ｍ）、シアン（Ｃ）、黒（Ｋ）（各８ｂｉｔ）の４色の原稿色材階調データに変換される。
【００２１】
第１の画像形成ユニット１４Ｋ、第２の画像形成ユニット１４Ｙ、第３の画像形成ユニット１４Ｍ及び第４の画像形成ユニット１４Ｃ（像形成手段）は、水平方向に一定の間隔をおいて並列的に配置され、形成する画像の色が異なる他は、ほぼ同様に構成されている。そこで、以下、第１の画像形成ユニット１４Ｋについて説明する。なお、各画像形成ユニット１４の構成は、Ｋ、Ｙ、Ｍ又はＣを付すことにより区別する。
画像形成ユニット１４Ｋは、画像処理装置２０から入力された画像データに応じてレーザ光を走査する光走査装置１４０Ｋと、この光走査装置１４０Ｋにより走査されたレーザ光により静電潜像が形成される像形成装置１５０Ｋとを有する。
【００２２】
光走査装置１４０Ｋは、半導体レーザ１４２Ｋを黒色（Ｋ）の画像データに応じて変調して、この半導体レーザ１４２Ｋからレーザ光ＬＢ（Ｋ）を画像データに応じて出射する。この半導体レーザ１４２Ｋから出射されたレーザ光ＬＢ（Ｋ）は、第１の反射ミラー１４３Ｋ及び第２の反射ミラー１４４Ｋを介して回転多面鏡１４６Ｋに照射され、この回転多面鏡１４６Ｋよって偏向走査され、第２の反射ミラー１４４Ｋ、第３の反射ミラー１４８Ｋ及び第４の反射ミラー１４９Ｋを介して、像形成装置１５０Ｋの感光体ドラム１５２Ｋ上に照射される。
像形成装置１５０Ｋは、矢印Ａの方向に沿って所定の回転速度で回転する像担持体としての感光体ドラム１５２Ｋと、この感光体ドラム１５２Ｋの表面を一様に帯電する帯電手段としての一次帯電用のスコロトロン１５４Ｋと、感光体ドラム１５４Ｋ上に形成された静電潜像を現像する現像器１５６Ｋと、クリーニング装置１５８Ｋとから構成されている。感光体ドラム１５２Ｋは、スコロトロン１５４Ｋにより一様に帯電され、光走査装置１４０Ｋにより照射されたレーザ光ＬＢ（Ｋ）により静電潜像を形成される。感光体ドラム１５２Ｋに形成された静電潜像は、現像器１５６Ｋにより黒色（Ｋ）のトナーで現像され、中間転写ベルト１６に転写される。なお、トナー像の転写工程の後に感光体ドラム１５２Ｋに付着している残留トナー及び紙粉等は、クリーニング装置１５８Ｋによって除去される。
他の画像形成ユニット１４Ｙ、１４Ｍ及び１４Ｃも、上記と同様に、イエロー（Ｙ）、マゼンタ（Ｍ）、シアン（Ｃ）の各色のトナー像を形成し、形成された各色のトナー像を中間転写ベルト１６に転写する。
【００２３】
中間転写ベルト１６は、ドライブロール１６４と、第１のアイドルロール１６５と、ステアリングロール１６６と、第２のアイドルロール１６７と、バックアップロール１６８と、第３のアイドルロール１６９との間に一定のテンションで掛け回されており、駆動モータ（不図示）によってドライブロール１６４が回転駆動されることにより、矢印Ａの方向に所定の速度で循環駆動される。この中間転写ベルト１６は、例えば、可撓性を有するポリイミド等の合成樹脂フィルムを帯状に形成し、この帯状に形成された合成樹脂フィルムの両端を溶着等によって接続することにより無端ベルト状に形成されたものである。
また、中間転写ベルト１６には、各画像形成ユニット１４Ｋ、１４Ｙ、１４Ｍ、１４Ｃに対向する位置にそれぞれ第１の一次転写ロール１６２Ｋ、第２の一次転写ロール１６２Ｙ、第３の一次転写ロール１６２Ｍ及び第４の一次転写ロール１６２Ｃが配設され、感光体ドラム１５２Ｋ、１５２Ｙ、１５２Ｍ、１５２Ｃ上に形成された各色のトナー像は、これらの一次転写ロール１６２により中間転写ベルト１６上に多重に転写される。なお、中間転写ベルト１６に付着した残留トナーは、二次転写位置の下流に設けられたベルト用クリーニング装置１８９のクリーニングブレード又はブラシにより除去される。
【００２４】
用紙搬送路１８には、用紙トレイ１７から記録用紙３２を取り出す給紙ローラ１８１と、用紙搬送用の第１のローラ対１８２、第２のローラ対１８３及び第３のローラ対１８４と、記録用紙３２を既定のタイミングで二次転写位置に搬送するレジストロール１８５とが配設される。
また、用紙搬送路１８上の二次転写位置には、バックアップロール１６８に圧接する二次転写ロール１８５が配設されており、中間転写ベルト１６上に多重に転写された各色のトナー像は、この二次転写ロール１８５による圧接力及び静電気力で記録用紙３２上に二次転写される。各色のトナー像が転写された記録用紙３２は、第１の搬送ベルト１８６及び第２の搬送ベルト１８７によって定着器１９へと搬送される。
定着器１９は、上記各色のトナー像が転写された記録用紙３２に対して加熱処理及び加圧処理を施すことにより、トナーを記録用紙３２に溶融固着させる。
【００２５】
［クライアントＰＣ］
次に、本発明が適用されるクライアントＰＣ４について説明する。
図３は、本発明にかかる画像処理方法が適応されるクライアントＰＣ４のハードウェア構成を、制御装置４０を中心に例示する図である。
図３に例示するように、クライアントＰＣ４は、ＣＰＵ４０２及びメモリ４０４などを含む制御装置４０、通信装置４２、ＨＤＤ・ＣＤ装置などの記録装置４４、並びに、ＬＣＤ表示装置あるいはＣＲＴ表示装置およびキーボード・タッチパネルなどを含むユーザインターフェース装置（ＵＩ装置）４６から構成される。
【００２６】
［背景］
デジタルカメラ等の画像入力装置で取得された画像データを蓄積しておく場合には、通常、ＲＧＢ画像、または、ＣＭＹＫに変換した画像が蓄積される。ＣＭＹＫ画像は、印刷物用途に適しており、ＲＧＢ画像は、元画像として保存しておく他に、Ｗｅｂ用画像に利用できるし、ＣＭＹＫ画像に変換して利用することもできる。このように、ＲＧＢ画像を保存しておくことは有用であるが、最終的に印刷するためには、その途中でGamut圧縮などの画像処理が必要になる。
Gamut圧縮は、出力プロファイルでなされるため、メーカや画像出力装置の種類ごとに色圧縮の方法が異なる。そのため、撮影者の意図が反映されていない出力画像（例えば、プリント物）となったり、画像出力装置ごとに大きく異なる色で出力されるという問題がある。
【００２７】
そこで、本実施形態における画像処理システム１は、入力された画像データに基づいて、画像出力装置に依存しない非依存色空間の画像データを生成し、生成された画像データに対して、画像出力装置（プリンタ装置１０など）の色域に応じた色圧縮処理を施し、色圧縮処理が施された画像データを、入力された画像データに添付して蓄積又は伝送する。
これにより、異なる機種の画像出力装置に対して、ほぼ同じGamut圧縮方式の結果で画像が出力できるため、同じ色味を実現できる。
【００２８】
［画像処理プログラム］
図４は、クライアントＰＣ４（図１，図３）により実行され、本発明にかかる画像処理方法を実現する画像処理プログラム５の機能構成を例示する図である。
図４に例示するように、画像処理プログラム５は、画像入力部５００、色変換処理部５１０、画像蓄積部５５０、送信部５６０及び表示部５７０を有する。また、色変換処理部５１０は、色空間変換部５２０、色域圧縮部５３０及び墨版データ生成部５４０を含む。
なお、本実施形態では、画像処理プログラム５がクライアントＰＣ４にインストールされて色変換処理等を行う形態を具体例とするが、これに限定されるものではなく、例えば、画像処理プログラム５がプリンタ装置１０の画像処理装置２０にインストールされて、プリンタ装置１０自身が色変換処理等を行ってもよい。
【００２９】
画像処理プログラム５において、画像入力部５００は、ユーザの操作に応じて、入力された画像データを取得し、取得された画像データを色変換処理部５１０に出力する。画像入力部５００は、例えば、プリンタ装置１０から、画像読取ユニット１２で読み取られた画像データ（ＲＧＢ画像）を取得し、取得された画像データ（ＲＧＢ画像）を色変換処理部５１０に出力する。この画像データは、画像入力装置に依存する色空間のデータである。
【００３０】
色変換処理部５１０は、画像入力部５００から入力された画像データ（ＲＧＢ画像）を、画像出力装置に依存しない非依存色空間の画像データに変換し、この画像データに対して画像出力装置の色域に応じた色圧縮処理を施す。非依存色空間とは、例えば、Ｌａｂ色空間である。
また、色変換処理部５１０は、ユーザの要求に応じて、入力された画像データに基づいて、黒色成分を規定する墨版データを生成する。本例の墨版データは、グレースケールの画素値で構成された墨版画像であるが、これに限定されるものではなく、例えば、墨版画像を生成するための色変換パラメータ等であってもよい。
【００３１】
より具体的には、色空間変換部５２０は、プリンタ装置１０から、画像読取ユニット１２のプロファイル（画像入力装置のプロファイル）を取得し、取得したプロファイルを用いて、画像入力部５００から入力された画像データ（ＲＧＢ画像）をＬａｂ色空間の画像データ（Ｌａｂ画像）に変換する。
色域圧縮部５３０は、プリンタ装置１０などにより再現可能な色域を示す色域情報（画像出力装置の色域情報）を取得し、取得した色域情報に応じて、色空間変換部５２０によりＬａｂ色空間に変換された画像データ（Ｌａｂ画像）に対して色域圧縮処理を施す。例えば、色域圧縮部５３０は、プリンタ装置１０などのプロファイルを色域情報として使用し、プリンタ装置１０等の色域の範囲を特定し、特定された色域範囲内に収まるように画像データ（Ｌａｂ画像）を補正する。
墨版データ生成部５４０は、色域圧縮部５１０により補正された画像データ（Ｌａｂ画像）に基づいて、この画像データの黒色成分を規定する墨版データを生成する。墨版データは、例えば、印刷用画像データであるＣＭＹＫ画像のうちの、Ｋ版画像を規定する情報であり、少なくとも、墨量（ＵＣＲ率など）と墨入れの範囲（Ｋ値で置換される画素値の範囲）とを規定する。
【００３２】
画像蓄積部５５０は、色域圧縮部５３０により補正された非依存色空間の画像データ（本例ではＬａｂ画像）、及び、墨版データ生成部５４０により生成された墨版データを、画像入力部５００から入力された画像データ（本例では、ＲＧＢ画像であり、以下、元画像という）に対応付けて格納する。なお、以下の説明において、元画像データ（ＲＧＢ画像）、非依存色空間の画像データ（Ｌａｂ画像）及び墨版データの組を画像ファイルという。
【００３３】
送信部５６０は、ユーザからの印刷要求などに応じて、画像蓄積部５５０に格納されている画像ファイルをプリンタ装置１０等に送信する。この画像ファイルには、非依存色空間の画像データ（Ｌａｂ画像）及び墨版データが元画像データ（ＲＧＢ画像）に添付されている。
プリンタ装置１０は、送信部５６０から受信した画像ファイルを用いて、画像を印刷する。
【００３４】
表示部５７０は、ユーザからの表示要求などに応じて、画像蓄積部５５０に格納されている画像ファイルをＵＩ装置４６に表示させる。
ＵＩ装置４６は、表示部５７０からの指示に応じて、画像ファイルの少なくとも一部を表示する。
【００３５】
図５は、画像蓄積部５５０に格納されている画像ファイルを例示する図である。
図５に例示するように、画像蓄積部５５０は、画像入力部５００から入力された元画像データ（ＲＧＢ画像）、色域圧縮部５３０により補正された非依存色空間の画像データ（Ｌａｂ画像）、及び、墨版データ生成部５４０により生成された墨版データを１つの画像ファイルとして画像ファイルデータベース（画像ファイルＤＢ）５５２に格納する。
１つの元画像データに対して、複数の非依存色空間の画像データ（Ｌａｂ画像）及び複数の墨版データが対応付けられる場合もある。これらの非依存色空間の画像データ（Ｌａｂ画像）は、元の画像データが同じであるが、色域圧縮の基準となる画像出力装置の色空間が異なる。また、複数の墨版データは、色域圧縮の基準となる色空間が異なることに加えて、墨量又は墨入れの範囲が異なる場合がある。
【００３６】
［出力データ生成プログラム］
図６は、プリンタ装置１０の画像処理装置２０（図２）によりインストールされた出力データ生成プログラム６の機能構成を例示する図である。
図６に例示するように、出力データ生成プログラム６は、ファイル取得部６００、出力画像生成部６１０、色変換式作成部６２０及び出力部６３０を有する。また、出力画像生成部６１０は、出力データ生成部６１２及び墨版生成部６１４を含む。
なお、本実施形態では、出力データ生成プログラム６がプリンタ装置１０の画像処理装置２０にインストールされて色変換処理（ＣＭＹＫ画像の作成）等を行う形態を具体例とするが、これに限定されるものではなく、例えば、出力データ生成プログラム６がクライアントＰＣ４にインストールされて、クライアントＰＣ４が色変換処理（ＣＭＹＫ画像の作成）等を行ってもよい。
【００３７】
出力データ生成プログラム６において、ファイル取得部６００は、ネットワークを介してクライアントＰＣ４（図１）から、画像ファイルを取得し、取得した画像ファイルを出力画像生成部６１０に出力する。取得する画像ファイルには、元画像データ（ＲＧＢ画像）、非依存色空間の画像データ（Ｌａｂ画像）、及び墨版データが含まれている。
【００３８】
出力画像生成部６１０は、ファイル取得部６００から入力された画像ファイルを用いて、画像出力用の画像データ（ＣＭＹＫ画像）を生成し、生成された画像出力用の画像データ（ＣＭＹＫ画像）を出力部６３０に出力する。
具体的には、出力データ生成部６１２は、色変換式作成部６２０により作成された色変換式を用いて、画像ファイルに含まれる非依存色空間の画像データ（Ｌａｂ値）に基づいて、出力色空間の画像データ（ＣＭＹ画像）を生成する。
墨版生成部６１４は、画像ファイルに含まれる墨版データに基づいて、墨版画像データ（Ｋ画像）を生成する。また、墨版生成部６１４は、生成された墨版画像データ（Ｋ画像）に応じて、出力データ生成部６１２により生成されたＣＭＹ画像を補正する。
【００３９】
色変換式作成部６２０は、プリンタ装置１０のプロファイルに基づいて、非依存色空間の画像データ（Ｌａｂ画像）をプリンタ装置１０の出力色空間（ＣＭＹＫ画像）に変換する色変換式を作成する。
【００４０】
出力部６３０は、出力画像生成部６１０から入力された画像出力用の画像データ（ＣＭＹＫ画像）を、階調補正又は解像度補正等を行う他のモジュールに出力する。また、後段の処理が存在しない場合に、出力装置６３０は、画像出力用の画像データ（Ｋ画像、Ｙ画像、Ｍ画像及びＣ画像）をそれぞれ第１の画像形成ユニット１４Ｋ、第２の画像形成ユニット１４Ｙ、第３の画像形成ユニット１４Ｍ及び第４の画像形成ユニット１４Ｃに出力してもよい。
【００４１】
［画像処理動作］
次に、画像処理プログラム５の動作を説明する。
図７は、クライアントＰＣ４（画像処理プログラム５）による画像処理（Ｓ１０）を説明するフローチャートである。
図８は、ＵＩ装置４６に表示される表示画面を例示する図である。
【００４２】
図７に示すように、ステップ１００（Ｓ１００）において、画像入力部５００（図４）は、プリンタ装置１０から、画像読取ユニット１２により原稿から読み取られた元画像データ（ＲＧＢ画像）を取得し、取得された元画像データ（ＲＧＢ画像）を色変換処理部５１０に出力する。
また、画像入力部５００は、ＵＩ装置４６を介して、ユーザから処理条件の入力を受け付ける。処理条件は、例えば、画像出力装置（プリンタ装置１０など）を指定する情報、及び、墨版データを生成するための情報を含む。本例の画像入力部５００は、図８（Ａ）に例示するように、墨調整画面７１０を表示して、墨版データを生成するための情報の入力を受け付ける。この墨調整画面７１０には、墨入れの範囲を指定する墨入れ範囲入力ボックス７１２と、墨量を指定するスライダーバー７１４とが設けられている。ユーザは、この墨入れ範囲入力ボックス７１２に、墨入れを行う明度（Ｌ値）の範囲を入力し、スライダーバー７１４をドラッグして墨量を指定する。墨入れ範囲及び墨量などの処理条件は、色変換処理部５１０に入力される。
【００４３】
ステップ１１０（Ｓ１１０）において、色空間変換部５１０は、画像読取ユニット１２のプロファイルを用いて、元画像データ（ＲＧＢ画像）に対応する非依存色空間の画像データ（Ｌａｂ画像）を生成する。
【００４４】
ステップ１２０（Ｓ１２０）において、色域圧縮部５３０は、ユーザに指定された画像出力装置の色域情報が取得できるか否かを判定し、色域情報が取得できる場合に、Ｓ１３０の処理に移行し、色域情報が取得できない場合に、Ｓ１４０の処理に移行する。
【００４５】
ステップ１３０（Ｓ１３０）において、色域圧縮部５３０は、色空間変換部５１０により生成された非依存色空間の画像データ（Ｌａｂ）に対して、指定された画像出力装置の色域に応じた色圧縮処理を行う。なお、色域圧縮部５３０は、複数の画像出力装置（プリンタ装置１０及びＵＩ装置４６等）が指定されている場合に、それぞれの画像出力装置の色域情報に応じた色圧縮処理を行い、複数の画像データ（色域圧縮が施されたＬａｂ画像）を生成する。
【００４６】
ステップ１４０（Ｓ１４０）において、色域圧縮部５３０は、色空間変換部５１０により生成された非依存色空間の画像データ（Ｌａｂ）に対して、デフォルトの色域に応じた色圧縮処理を行う。デフォルトの色域は、標準的な画像出力装置を基準として予め設定されている。
【００４７】
ステップ１５０（Ｓ１５０）において、墨版データ生成部５４０は、入力された処理条件（墨入れ範囲及び墨量）に応じて、色域圧縮部５３０により色圧縮処理が施された画像データから墨版データ（Ｋ画像）を生成する。
【００４８】
ステップ１６０（Ｓ１６０）において、画像蓄積部５５０は、入力された元画像データ（ＲＧＢ画像）に対応付けて、色域圧縮部５３０により色域圧縮が施された非依存色空間の画像データ（Ｌａｂ画像）、及び、墨版データ生成部５４０により生成された墨版データを画像ファイルＤＢ５５２（図５）に格納する。
【００４９】
ステップ１７０（Ｓ１７０）において、画像処理プログラム５は、ユーザから画像ファイルの出力要求（印刷要求又は表示要求）が入力されるまで待機し、出力要求が入力されるとＳ１８０の処理に移行する。
【００５０】
ステップ１８０（Ｓ１８０）において、印刷要求が入力された場合に、送信部５６０は、印刷要求に応じて、画像蓄積部５５０に格納されている画像ファイルをプリンタ装置１０に送信する。
また、表示要求が入力された場合に、表示部５７０は、表示要求に応じて、画像蓄積部５５０に格納されている画像ファイルをＵＩ装置４６に表示させる。より具体的には、表示部５７０は、表示要求が入力されると、図８（Ｂ）に例示するように、表示モードの選択を促す表示モード選択画面７２０をＵＩ装置４６に表示させる。表示モード選択画面７２０には、２つのチェックボックス７２２と、プルダウン領域７２４とが設けられている。第１のチェックボックス７２２ａは、元画像データ（ＲＧＢ画像）の表示を指示する操作領域であり、第２のチャックボックス７２２ｂは、出力画像のプレビュー表示を指示する操作領域である。すなわち、第１のチェックボックス７２２ａがＯＮの状態では、ＵＩ装置４８に、元画像（画像読取ユニット１２から入力された画像そのもの）が表示され、第２のチェックボックス７２２ｂがＯＮの状態では、ＵＩ装置４８に、出力画像（印刷物等）をシミュレートしたシミュレート画像が表示される。また、第２のチェックボックス７２２ｂがＯＮの状態になると、プルダウン領域７２４がアクティブとなり、プルダウンメニューの表示及び選択が可能になる。このプルダウンメニューには、画像出力装置のリストが表示される。ユーザがこのプルダウンメニューで１つの画像出力装置を選択すると、表示部５７０は、選択された画像出力装置により出力される出力画像のシミュレート画像を生成しＵＩ装置４６に表示させる。このシミュレート画像の画像データは、色域圧縮が施された非依存色空間の画像データ（Ｌａｂ画像）をＵＩ装置４６のプロファイルに基づいてＵＩ装置４６の色空間の画像データ（ＲＧＢ画像）に変換することにより生成される。
なお、第１のチェックボックス７２２ａ及び第２のチャックボックス７２２ｂが両方ＯＮの状態では、元画像とシミュレート画像とが同一画面上に並べて表示される。これにより、ユーザは、元画像とシミュレート画像とを見比べることができる。
【００５１】
以上説明したように、本実施形態における画像処理システム１は、元画像データに、色圧縮処理が施された画像データ（Ｌａｂ値）を添付し、添付された画像データ（色域圧縮が施されたＬａｂ画像）を用いて複数のプリンタ装置に印刷させることにより、これらのプリンタ装置でほぼ同じ色味の出力画像を得ることができる。
また、本画像処理システム１は、元画像データに、墨版データを添付し、添付された墨版データを用いて複数のプリンタ装置に印刷させることにより、これらのプリンタ装置で墨量及び墨入れ範囲を略均一にしてほぼ同じ色味の出力画像を得ることができる。
また、本画像処理システム１は、元画像データと、色圧縮処理が施された画像データとを同時に並べて表示することにより、色域圧縮の前後で画像を対比することができる。これにより、出力画像（印刷物等）のより正確なプレビューが可能になる。
【図面の簡単な説明】
【００５２】
【図１】画像処理システム１の全体構成を例示する図である。
【図２】タンデム型のプリンタ装置１０の構成を示す図である。
【図３】本発明にかかる画像処理方法が適応されるクライアントＰＣ４のハードウェア構成を、制御装置４０を中心に例示する図である。
【図４】クライアントＰＣ４（図１，図３）により実行され、本発明にかかる画像処理方法を実現する画像処理プログラム５の機能構成を例示する図である。
【図５】画像蓄積部５５０に格納されている画像ファイルを例示する図である。
【図６】プリンタ装置１０の画像処理装置２０（図２）によりインストールされた出力データ生成プログラム６の機能構成を例示する図である。
【図７】クライアントＰＣ４（画像処理プログラム５）による画像処理（Ｓ１０）を説明するフローチャートである。
【図８】ＵＩ装置４６に表示される表示画面を例示する図である。
【符号の説明】
【００５３】
４・・・クライアントＰＣ
５・・・画像処理プログラム
５００・・・画像入力部
５１０・・・色変換処理部
５２０・・・色空間変換部
５３０・・・色域圧縮部
５４０・・・墨版データ生成部
５５０・・・画像蓄積部
５６０・・・送信部
５７０・・・表示部
１０・・・プリンタ装置
６・・・出力データ生成プログラム
６００・・・ファイル取得部
６１０・・・出力画像生成部
６１２・・・出力データ生成部
６１４・・・墨版生成部
６２０・・・色変換式作成部
６３０・・・出力部
【図１】
2006094294.tif 000003
【図２】
2006094294.tif 000004
【図３】
2006094294.tif 000005
【図４】
2006094294.tif 000006
【図５】
2006094294.tif 000007
【図６】
2006094294.tif 000008
【図７】
2006094294.tif 000009
【図８】
2006094294.tif 000010